(57)【要約】      （修正有）【課題】外したマスクなどについて、安定的に保持することができるスタンドホルダを提供する。【解決手段】一枚の板状体から構成され、左右方向中央の折り目で山折り可能であって、折り目で山折りしたときに自立可能に構成され、下端は、左右方向中央の折り目から左右上方に向かって斜めになっており、上下方向略中央から上に向けて折り目から左右方向に幅が徐々に拡がる切り込みをもち、上端部に枝分かれ部１５１、１５２、１６１、１６２をもつ第１スタンドＥと、第１スタンドＥの下端の折り目の一部が裏側から係合されている、単独で自立可能な第２スタンドＡとを有する。【選択図】図５
0003229770.tif 000002
【実用新案登録請求の範囲】
【請求項１】
一枚の板状体から構成され、左右方向中央の折り目で山折り可能であって、
前記折り目で山折りしたときに自立可能に構成され、
下端は、左右方向中央の前記折り目から左右上方に向かって斜めに傾斜しており、
上下方向略中央から上に向けて前記折り目から左右方向に幅が徐々に拡がる切り込みをもち、上端部に設けられた枝分かれ部と前記下端の前記折り目に設けられた係止部とをもつ第１スタンドと、
前記第１スタンドの前記係止部が裏側から係止されている、単独で自立可能な第２スタンドと、
を有するスタンドホルダ。
【請求項２】
前記第２スタンドは、
起立及び折り畳み可能であって、
起立時に上端となる正面上端部及び下端となる正面下端部を持ち、前記正面下端部の中央部に係合突起部を持つ正面部と、
前記係合突起部を除く前記正面下端部と一体に形成され、前記正面部との境界部分に第１屈曲部が設けられ、前記第１屈曲部を谷折り状に折り返してなる台座部と、
前記台座部における前記第１屈曲部とは反対側の端部と一体に形成され、前記台座部との境界部分に第２屈曲部が設けられ、前記第２屈曲部を山折り状に折り返してなる支え部と、
前記支え部における前記第２屈曲部とは反対側の端部と一体に形成され、前記支え部との境界部分に第３屈曲部が設けられ、前記第３屈曲部を山折り状に折り返してなる底部と、
前記底部における前記第３屈曲部とは反対側の端部と一体に形成され、前記底部との境界部分に第４屈曲部が設けられ、前記第４屈曲部を山折り状に折り返してなる背面部と、を持ち、
さらに前記背面部における前記第４屈曲部とは反対側の端部と前記正面上端部とが一体に形成され、前記背面部と前記正面部との境界部分に第５屈曲部を設け、前記第５屈曲部を山折り状に折り返してなり、
前記支え部の前記第２屈曲部側の端部中央部には支え突起部が設けられ、
前記台座部の前記第１屈曲部側の端部中央部には折り畳み時に前記係合突起部を収める第１切り欠き部及び前記台座部の前記第２屈曲部側の端部中央部は折り畳み時に前記支え突起部を収める第２切り欠き部が設けられ、
前記底部には前記係合突起部と係合する係合部が設けられ、前記係合部は前記係合突起部に設けられている係合孔と係合する係合爪と、前記係合突起部と係合する係合凸部とを有しており、
一枚板状の展開体が折り返されてなり、
前記背面部には、前記第１スタンドの前記下端の一部が係合される厚み方向に貫通する貫通孔をもつ、
請求項１に記載のスタンドホルダ。
【請求項３】
前記底部は、第３屈曲部側から順に第２底部、第１底部及び第３底部に区画され、
前記第２底部と前記第１底部は一体に形成され、第２底部と第１底部との境界部分に第６屈曲部が設けられ、
折り畳み時において、前記第１〜３屈曲部が屈曲されていない状態で、前記第２底部、前記支え部、前記台座部及び前記正面部は面一の平板状である第１平面部と、前記第４屈曲部が屈曲されていない状態で、前記第１底部、前記第３底部及び前記背面部は面一の平板状である第２平面部とが、前記第５及び前記第６屈曲部が山折り状に折り返されることによって一体的に形成され平板状となる請求項２に記載のスタンドホルダ。
【請求項４】
前記第１平面部及び前記第２平面部の一方の側端部は側壁を持ち、他方の側端部は前記側壁に覆われる側面を持つ形状であって、
前記側壁は係止孔を持ち、前記側面は前記係止孔と係止する係止爪を持つ請求項２又は３に記載のスタンドホルダ。
【考案の詳細な説明】
【技術分野】
【０００１】
本考案は、例えばマスクやメガネを保持するのに好適であり、かつ、持ち運びに優れたスタンドホルダに関するものである。
【背景技術】
【０００２】
従来より、スマートホンやタブレット型端末を保持するスタンドホルダが提案されている（特許文献１）。
【先行技術文献】
【特許文献】
【０００３】
【特許文献１】特開2019-21965号公報
【考案の概要】
【考案が解決しようとする課題】
【０００４】
ところで、近年感染症防止の観点からマスクを着用する機会が増加している。装着したマスクは、適宜外すことになるが、外したマスクを清潔に保ちたいという要望がある。更にマスクの内面は化粧などが付着しており、外したマスクから化粧などが周りに再付着することを防止したいとの要望もある。
【０００５】
そのためには、マスクなどについて安定的に保持して不用意に周りのものに接触しないようにすることが望まれる。
【０００６】
本考案は上記実情に鑑み完成したものであり、外したマスクなどについて、安定的に保持することができるスタンドホルダを提供することを解決すべき課題とする。
【課題を解決するための手段】
【０００７】
上記課題を解決する本考案のスタンドホルダは、
一枚の板状体から構成され、左右方向中央の折り目で山折り可能であって、
前記折り目で山折りしたときに自立可能に構成され、
下端は、左右方向中央の前記折り目から左右上方に向かって斜めになっており、
上下方向略中央から上に向けて前記折り目から左右方向に幅が徐々に拡がる切り込みをもち、上端部に設けられた枝分かれ部と前記下端の前記折り目に設けられた係止部とをもつ第１スタンドと、
前記第１スタンドの前記係止部が裏側から係止されている、単独で自立可能な第２スタンドと、
を有する。
【考案の効果】
【０００８】
マスクなどを保持できる第１スタンドを自立可能な第２スタンドに係合させておくことで第２スタンドも安定して自立することになる。
【図面の簡単な説明】
【０００９】
【図１】実施例の第１スタンドの概略平面図である。
【図２】実施例の第２スタンドの概略斜視図である。
【図３】実施例の第２スタンドの概略斜視図である。
【図４】実施例の第２スタンドの展開図である。
【図５】実施例のスタンドの使用形態を例示する図である。
【考案を実施するための形態】
【００１０】
本考案のスタンドホルダについて以下実施形態に基づき詳細に説明を行う。本実施形態のスタンドホルダは、スマートフォンやタブレット型端末等を立て掛けて保持するのに好適であり、かつ、マスクやメガネを安定して保持することが可能である。スマートフォンやタブレット型端末の大きさ等は特に限定されず、本実施形態のスタンドホルダは保持する物の大きさに応じた種々の形状をとり得る。
【００１１】
本実施形態のスタンドホルダは、第１スタンドと第２スタンドとを有する。第１スタンド及び第２スタンドは、合わせて定形郵便にて送ることができる大きさ、重さにすることで、郵送が容易になり、ダイレクトメールに添付しやすくなるため好ましい。
【００１２】
本実施形態のスタンドホルダは、展開体の状態（すなわち、折り返されていない状態）で第１スタンドと第２スタンドが一体化された一枚板状であるか、又は、第１スタンドと第２スタンドの二枚の板状であり、折り返されて起立状態に形成されている。
【００１３】
このため、本実施形態のスタンドホルダは、多数の部品を必要とせず、容易かつ安価に製造できる。この展開体は射出成形により製造されることが望ましいが、特にこれに限定されるものではない。
【００１４】
本実施形態のスタンドホルダは、展開体の状態において一枚板状又は二枚板状であれば良く、折り返した状態で固着しても良いし、折り返した状態から、再度、展開体にまで展開できても良い。折り返した状態から、再度、展開体にまで展開できる場合には、スタンドホルダの製造時に接着等の固着工程を必要とせず、スタンドホルダをより容易かつ安価に製造できる利点がある。
【００１５】
なお、本明細書でいう板状とは、折り返し可能な程度の厚さをもつ形状を指し、例えば、シート状やフィルム状、紙状等を含む概念である。また、展開体の肉厚は、略一定であっても良いし、部分的に厚肉および／または薄肉であっても良い。
【００１６】
また、本明細書でいう一枚板状とは、切断等しないそのままの状態で分離しない一枚の板状をなすことを指し、その外形は特に問わない。例えば、展開体には切り目や切り欠き等が形成されていても良い。また、本明細書でいう起立時（起立状態）とは、スマートフォン等の対象物を保持できる状態のことであり、スタンドホルダとして機能する組み立てた状態のことである。
【００１７】
これに対して折り畳み時（折り畳み状態）とは、展開体を折り畳んで一枚の平板状にした状態のことをいう。また、本明細書でいう山折り状とは角が外側になるように折り曲げることであり、谷折り状とは角が内側になるように折り曲げることである。
【００１８】
第１スタンドは、一枚の板状体から構成され、その材質は、紙、樹脂、金属等の種々の材料が採用できるが、特に紙や、可燃物として廃棄可能なプラスチックを採用することで廃棄時に可燃物として処理することが可能であり好ましい。
【００１９】
第１スタンドは、使用時において、その板状体について左右方向の中央の折り目で山折りにされており、下端が机などの上に当接して自立可能になっている。その場合に、下端は、左右方向中央の折り目から左右上方に向かって斜めになるように傾いており、第１スタンドを自立させたときに、折り目側の面を斜め上に向ける。
【００２０】
第１スタンドは、図面上の上下方向の略中央から上に向けて折り目から左右方向に幅が徐々に拡がる切り込みをもつ。つまり、第１スタンドは、折り目から上方向に向けて二股に分かれた構造をもつ。そして、その上端部（二股の上端部）は、枝分かれ部をもつ。枝分かれ部は、上方向に向けて枝分かれしている。つまり、二股に分かれた部分と、上端部の枝分かれ部が２つの計３箇所でものを保持又は挟持することができる。
【００２１】
第１スタンドの下端の折り目近傍には、第２スタンドと係合する係止部が設けられている。
【００２２】
第２スタンドは、特に限定されないが、以下の構成をもつ物が好ましい。好ましい第２スタンドとしては、正面部、台座部、支え部、底部、背面部、を持つ。正面部は台座部と共に直接的または間接的にスマートフォン等を保持する部分である。支え部、底部及び背面部は起立時において保持部（正面部と台座部）を支える部分である。正面部は、起立時において上側に配置される部分（正面上端部）と下側に配置される部分（正面下端部）とを持つ。正面下端部には正面部の面方向に係合突起部が延設されている。正面部は、係合突起部が底部に設けられる係合部と係合することにより固定される。さらに正面部は、背面部と正面上端部を介して一体に形成されている。つまり、正面部は背面部によっても支えられる。
【００２３】
台座部は、正面部及び支え部と一体に形成されている。台座部には２つの切り欠き部が設けられている。１つの切り欠き部は、台座部が正面部と一体となる境界部分にあり、もう１つの切り欠き部は、台座部が支え部と一体となる境界部分にある。上記したように、正面部の正面下端部には係合突起部が設けられている。また、後述するように、支え部には台座部と一体となる境界部分に支え突起部が設けられている。すなわち、台座部に設けられる２つの切り欠き部は、これら二つの突起部を折り畳み時に収めるものである。した
がって、２つの切り欠き部の形状は、それぞれの突起部の形状を収めることができる形状であることが望ましい。
【００２４】
支え部は、台座部及び底部と一体に形成されている。支え部は、起立時において上側に配置される部分（支え上端部）と下側に配置される部分（支え下端部）とを持つ。支え上端部中央部分には、支え突起部が支え部面方向に延設されている。支え部は、起立時において正面部と平行もしくは正面部に向かう方向に起立することが望ましい。
【００２５】
具体的には、起立時において支え部と底部が作る内角と正面部と底部が作る内角が等しい、又は、正面部と底部が作る内角の方が大きい状態のことである。これにより、支え突起部も正面部と平行もしくは正面部に向かう方向に起立する。したがって、スマートフォン等を保持する際、支え突起部がスマートフォン等を支持する役割を果たす。
【００２６】
底部は、支え部と背面部と一体に形成されている。底部は、起立時において机上面等と接する部位である。底部は、正面部の係合突起部と係合する係合部を持つ。係合部には係合爪を持つことが望ましい。
【００２７】
このとき、係合突起部にこの係合爪と係合する係合孔を設けることで、組み付きが強固となる。さらに、係合部には係合爪と対向する係合凸部を設けることが望ましい。このような構成とすることで、係合突起部が係合爪から不本意に離脱してしまうことを防止できる。また、底部はいくつかに区画されていることが望ましい。
【００２８】
背面部は、底部と正面部と一体に形成されている。起立時において背面部は、正面部の正面上端部と接合して正面部を支持する。背面部は背面貫通孔と背面側壁部を持つことが望ましい。この背面貫通孔と背面側壁部は折り畳み時から起立時の状態にするときに使用される。
【００２９】
背面貫通孔は、背面部中央部分に設けられる厚さ方向に貫通した孔である。第１スタンドが係合して第１スタンドと第２スタンドを一体化する。後述するが、使用者が折り畳み時から起立時に展開する際、この背面貫通孔に指を挿入することで折り畳み時に背面部と一体的に接合している正面部を押すことができる。したがって、折り畳み時の状態を容易に解除することができ、手間なく起立時の状態にすることができる。形状は円形が望ましいが、指を挿入できる形状であれば良く、特に限定されない。
【００３０】
背面側壁部は、背面部の側端部分に設けられる側壁である。背面部の側端部分の全てに設けられても良いが、一部分であることがより望ましい。背面側壁部と背面貫通孔は使用者によって次のように用いられる。折り畳み時を解除する際、すなわち背面部と一体となっている正面部を背面部から引き離す際、使用者は背面側壁部を持ちながら、背面貫通孔に指を挿入し、正面部を押すことによって折り畳み状態を解除する。したがって、使用者はこの背面貫通孔と背面側壁部を用いることにより片手で折り畳み状態を解除でき、容易に起立時の状態に変更できる。
【００３１】
第２スタンドにおいて、正面部と台座部、台座部と支え部、支え部と底部、底部と背面部及び背面部と正面部との境界部分には屈曲部が設けられる。この屈曲部は、曲げ伸ばし可能な程度の強度が要求される。また、正面部及び台座部には起立時においてスマートフォン等を保持できる程度の強度が要求される。支え部、底部及び背面部には起立時において正面部及び台座部を保持できる程度の強度が要求される。これらを考慮すると、本考案のカードホルダの材料としては、比較的強度に優れ、かつ、疲労破壊し難い材料を選択するのが好ましく、具体的には、樹脂、金属等である。
【実施例】
【００３２】
本考案のスタンドホルダについて実施例に基づき説明を行う。
【００３３】
（第１スタンド）
第１スタンドは、図１に示すように、一枚の板状体１４から形成される。板状体１４は、左右方向の中央の折り目Ｗにて山折りにされることで使用形態になる。第１スタンドは、折り目Ｗを境に右方片１５と左方片１６とをもつ。右方片１５と左方片１６とは折り目Ｗを対称軸とした線対称の形状をもつ。
【００３４】
右方片１５及び左方片１６は、下方の折り目Ｗにて接続され、全体としては略Ｙ字状の形態をもつ。右方片１５の上端部には枝分かれ部１５１及び１５２が形成され、左方片１６の上端部には枝分かれ部１６１及び１６２が形成される。右方片１５の上端部と左方片１６の上端部とは、間にスリットＳが介在し、上方に向かうにつれて間隔が拡がるような形状をもつ。
【００３５】
右方片１５の下端１５５と左方片１６の下端１６５は、折り目Ｗから左右外側に向かって上方に向かって斜めになっており、第１スタンドが自立したときに、折り目Ｗを背にして全体として斜めに傾いている。
【００３６】
右方片１５及び左方片１６の間の折り目Ｗ近傍の下端に係止部Ｔが設けられている。係止部Ｔの両端には、切り込み１５３及び１６３が形成され、この切り込み１５３及び１６３にて第２スタンドの後述する背面貫通孔内に挿入されて第1スタンドＥが第２スタンドＡに係止・固定される。
【００３７】
（第２スタンド）
第２スタンドＡについて、図２〜４を参照して説明する。第２スタンドＡは起立時の状態、すなわちスマートフォン等の対象物を保持するスタンド本来の機能を発揮する状態を示す。
【００３８】
第２スタンドＡは、厚さ１ｍｍのポリプロピレン製であり、図４に示す一枚板状の展開体Ｃが折り返されてなる。展開体Ｃにおける各部分の厚さは略均一である。第２スタンドＡは、正面部５、台座部４、支え部３、底部（第１底部１、第２底部２、第３底部７）及び背面部６を持つ。第２スタンドＡは、第１平面部と第２平面部とが一体となった厚み２ｍｍの平板状に折りたたむことができる。第１平面部は、第２底部２、支え部３、台座部４、正面部５が面一となっている。第２平面部は、背面部６、第３底部７、第１底部１が面一になっている。実施例２のスタンドホルダＢは、第２底部２と第１底部１との境界部分である第６屈曲部９１と、正面部５と背面部６の境界部分である第５屈曲部９５が山折り状に折り返され、第１〜４屈曲部は伸びた状態によって、第１平面部と第２平面部が一体となる。
【００３９】
正面部５は、略矩形の係合突起部５１を持つ略矩形の板状をなす。正面部５は、起立時において上側に位置する正面上端部５５と下側に位置する正面下端部５６を持つ。また、正面部５は正面上端部５５と正面下端部５６以外の左右周縁部に正面側壁部５７を持つ。正面側壁部５７は正面部５の厚み方向に２ｍｍの長さで設けられている。正面側壁部５７は正面部５の左右周縁部の全てに設けられなく、図２に示すように一部分欠けている。正面側壁部５７は左右の周縁部に対称的に設けられている。また、正面側壁部５７は第３係止孔５３を持つ。係合突起部５１は、正面下端部５６の中央部分に正面部５の面方向に延設されている。係合突起部５１は中央部分に略短冊状の係合孔５２を持つ。係合孔５２は厚さ方向に貫通する貫通孔である。第１平面部と第２平面部とが一体化となるときに背面側壁部６２と合わさる正面部５の部分は、正面側壁部５７が切り欠けており正面側面部５４となる。
【００４０】
台座部４は、略矩形状の２つの切り欠き部を持つ略矩形の板状をなす。台座部４は正面部５の正面下端部５６と接合して一体に形成される。この接合部分である第１屈曲部９４は、台座部４と正面部５の境界部分である。また、第１屈曲部９４は、正面部５の正面下端部５６のうち係合突起部５１を除いた部分と台座部４の一端とが接合した部分である。第１屈曲部９４は曲げ伸ばし可能であり、起立時において台座部４は正面部５に対して第１屈曲部９４により谷折り状に折り返されている。台座部４は第１屈曲部９４側の端部中央部分に第１切り欠き部４１と、対向する端部中央部に第２切り欠き部４２を持つ。第１切り欠き部４１は略矩形状であり、折り畳み時に正面部５の係合突起部５１が収まる空間である。第２切り欠き部４２は略矩形状であり、折り畳み時に後述する支え突起部３１が収まる空間である。台座部４は、第１切り欠き部４１及び第２切り欠き部４２が設けられていない左右周縁部に側壁部を持つ。
【００４１】
支え部３は、支え突起部３１を持つ凸状形の板状をなす。支え部３は、起立時において上側に位置する支え上端部３２と下側に位置する支え下端部３３を持つ。支え突起部３１は、支え上端部３２の中央部分に面方向に延設された略矩形状の突起である。支え部３は、第１屈曲部９４と反対側の台座部４端部と支え上端部３２のうち支え突起部３１を除いた部分で接合して一体に形成される。この接合部分である第２屈曲部９３は、支え部３と台座部４との境界部分であり、曲げ伸ばし可能である。起立時において、支え部３は台座部４に対して第２屈曲部９３により山折り状に折り返されている。支え部３には、支え上端部３２と支え下端部３３以外の左右周縁部に側壁部を持つ。
【００４２】
底部は３つに区画されており、支え部３側から背面部６側に向かって第２底部２、第１底部１、第３底部７の順に面一に並んでいる。第２底部２は係合部８の一部を有する略矩形の板状をなす。第２底部２はその端部と支え部３の支え下端部３３とが接合して一体に形成されている。この接合部分である第３屈曲部９２は、支え部３と第２底部２との境界部分であり、曲げ伸ばし可能である。起立時において、第２底部２は支え部３に対して第３屈曲部９２により山折り状に折り返されている。第２底部２は、第３屈曲部９２と反対側
の端部に係合部８の一部を有する。具体的には係合部８の係合爪８２を有する。また、第２底部２は第３屈曲部９２側とこれと対向する側以外の左右周縁部に側壁部を持つ。この側壁部には第２係止孔２１が設けられている。
【００４３】
第１底部１は係合部８の一部を有する略矩形の板状をなす。第１底部１の一端部は、第２底部２における第３屈曲部９２側と反対側の端部と接合して一体に形成されている。この接合部分であり第２底部２と第１底部２との境界部分である第６屈曲部９１は曲げ伸ばし可能であり、起立時においては、伸びた状態で第１底部１と第２底部２とを面一に形成する。第１底部１における第６屈曲部９１とは反対側の端部は、等間隔に並んだ３つの第１係止凸部１２とその間に配置される２つの第１係止爪１１を持つ。第１係止凸部１２は端部側面に設けられる突起である。第１係止爪１１は、先端が台形状で段差が設けられた爪である。係合部８は、第２底部２と第１底部１との境界部分である第６屈曲部９１の中央部分に設けられる。
【００４４】
係合部８は、矩形状の貫通穴であり第２底部２側に係合爪８２を持ち、第１底部１側に２つの係合凸部８１を持つ。係合部８では、正面部５に設けられた係合突起部５１の係合孔５２と係合爪８２とが係合する。これにより、正面部５が底部と組み付き固定される。さらに、係合部８は係合爪８２と対向する側に２つの係合凸部８１を持つ。この２つの係合凸部８１は、係合突起部５１の係合孔５２と係合爪８２との係合を外れ難くする役割を果たす。具体的には、係合爪８２と係合する係合突起部５１を係合爪８２と対向する側から係合する。したがって、起立時のスタンドホルダの安定的な形状維持に効果的である。
【００４５】
第３底部７は略矩形の板状である。第３底部７の第１底部１側の端部には、等間隔に並んだ３つの第１係止凹部７３とその間に配置される２つの第１係止孔７１を持つ。第１係止凹部７３は端部側面に設けられる。第１係止孔７１は略台形状の厚み方向に貫通した貫通孔である。第１底部１と第３底部７は、第１底部１の２つの第１係止爪１１が第３底部７の２つの第１係止孔７１と係止する。さらに、第１底部１の３つの第１係止凸部１２が第３底部７の３つの第１係止凹部７３と係止する。これにより、第１底部１と第３底部７が面一に接合される。このような構造を持つため、第１底部１と第３底部３とは非常に強固に結着され、底部を面一な状態に保つことができる。したがって、本考案のスタンドホルダは安定性に優れる。また、第３底部７は左右周縁部の対称位置に第２係止爪７２を持つ。
【００４６】
背面部６は略矩形の板状である。背面部６の一端は、第３底部７の第１係止孔７１と第１係止凹部７３を持つ端部とは反対側の端部と接合して一体に形成されてなる。この接合部分であり第３底部７と背面部６との境界部分である第４屈曲部９６は、曲げ伸ばし可能である。起立時において、背面部６は第３底部７に対して第４屈曲部９６により山折り状に折り返されている。また、背面部６は正面部５との境界部分である第５屈曲部９５を持つ。第５屈曲部９５は、曲げ伸ばし可能である。起立時において、背面部６は正面部５に対して第５屈曲部９５により山折り状に折り返されている。背面部６は中央部分に背面貫通孔６１を持つ。背面貫通孔６１は厚み方向に貫通した円形の孔である。この背面貫通孔６１は、第１スタンドの係止部Ｔが挿入されることで第２スタンドＡに第１スタンドＥが係止・固定される。また、背面部６は第４屈曲部９６と第５屈曲部９５以外の左右周縁部の対称位置に背面側壁部６２を持つ。
【００４７】
第１平面部と第２平面部が一体となるとき、正面側壁部５７に設けられた２つの第３係止孔５３と背面側面部６４に設けられた２つの第３係止爪６３が係止する。また、同様に第２底部２の側壁部に設けられた２つの第２係止孔２１と第３底部７の側面に設けられた２つの第２係止爪７２が係止する。この構成を取ることで、より第１平面部と第２平面部の一体化が強固となる。特に持ち運び時においては、他の部分と比較すると強度が劣る屈曲部の破損が起こり易くなる。第１平面部と第２平面部を合わせて一体化することで各屈曲部を固定できる。さらに上記の係止孔と係止爪によってより強固に一体化できれば、各屈曲部もまた一段と強固に固定できる。したがって、本考案のスタンドホルダを破損から守ることができる。
【００４８】
第２スタンドＡは、図４に示す一枚板状の展開体Ｃが折り返されて形成される。台座部４は第１屈曲部９４により正面部５に対して谷折りされている。支え部３は第２屈曲部９３により台座部４に対して山折りされている。第２底部２は第３屈曲部９２により支え部３に対して山折りされている。第１底部１は、第６屈曲部９１が伸びた状態であることにより第２底部２と面一となっている。第３底部７は第１底部１と係止されている。背面部６は第４屈曲部９６により第３底部７に対して山折りされ、立ち上っている。そして、背面部６と正面部５は第５屈曲部９５が山折り状となることで第２スタンドＡの頂角を作る。
【００４９】
以上のように、正面部５、台座部４、支え部３、底部、背面部６が接合して１つのループ状となり、第１屈曲部９４から第６屈曲部９１の曲げ伸ばしと、係合突起部５１と係合部８との係合によって第２スタンドの起立状態が形成される。なお、図示しないが、正面部５や支え部３に図略の意匠（企業名、標章、住所、電話番号等）が印刷されている。
【００５０】
第２スタンドＡは、各屈曲部の曲げ伸ばしや突起部の係合により組み付けられるため、使用者は容易に展開体から起立状態に形成することができる。また、接着剤等を使用していないため、折り畳み状態に変形することも容易である。
【００５１】
また、第２スタンドＡの展開体Ｃは、射出成形により製造されることが望ましい。これにより製造コストも抑えることができる。さらに、第２スタンドＡをノベルティ用として使用する場合にも、支え部３に意匠を印刷することでスマートフォン等を保持した状態でも常に意匠が目に付く状態となる。したがって、宣伝効果を高めることもできる。
【００５２】
（使用方法の例）
本実施例のスタンドホルダの使用例を図５に示す。図５（ａ）は、第１スタンドＥと第２スタンドＡとを組み合わせた外観を示す。第１スタンドＥの係止部Ｔが第２スタンドＡの背面貫通孔６１内に挿入されて、第１スタンドＥが第２スタンドＡに係止・固定される。
【００５３】
このように第１スタンドＥがと第２スタンドＡを組み合わせた状態にすると第１スタンドＥは安定して自立できる。第２スタンドＡにはスマートホン（図略）や写真（図略）などが載置できる。
【００５４】
そして、第１スタンドＥの上端部にある枝分かれ部１５１、１５２、１６１、１６２には、マスクＭなどが載置される。例えば、図５（ｂ）のようにマスクＭの左右の耳紐をそれぞれ引っ掛けることができる。そうすると、マスクＭの外部や内部がスタンド以外に触れることなく清潔な状態を保つことができる。
【００５５】
また、図５（ｃ）のように、第１スタンドＥの右方片１５と左方片１６のそれぞれの上端部の間のスリットＳにマスクＭを折り畳んで挟持することができる。マスクＭの内側が化粧などで汚れていてもそれを隠すことができる。
【００５６】
そして、図５（ｄ）のように、第１スタンドＥの上端部にある枝分かれ部１５１、１５２、１６１、１６２にマスクＭの内側を引っ掛けることでもマスクＭの外部や内部がスタンド以外に触れることなく清潔な状態を保つことができる。
【００５７】
このように、枝分かれ部１５１、１５２、１６１、１６２が形成されているため、マスクＭを引っ掛けたり、上に載せたりすることができる。また、スリットＳがあるため、マスクＭなどを挟持して保持することができる。
【符号の説明】
【００５８】
１５：右方片    １６：左方片    １５１、１５２、１６１、１６２：枝分かれ部    １５５、１６５：下端    １５３、１６３：切り込み    Ｗ：折り目    Ｓ：スリット    Ｔ：係止部
１：第１底部    １１：第１係止爪    １２：第１係止凸部    
２：第２底部    ２１：第２係止孔    
３：支え部    ３１：支え突起部    ３２：支え上端部    ３３：支え下端部
４：台座部    ４１：第１切り欠き部    ４２：第２切り欠き部
５：正面部    ５１：係合突起部    ５２：係合孔    ５３：第３係止孔  
５４：正面側面部    ５５：正面上端部    ５６：正面下端部    ５７：正面側壁部
６：背面部    ６１：背面貫通孔    ６２：背面側壁部    ６３：第３係止爪    
６４：背面側面部    
７：第３底部    ７１：第１係止孔    ７２：第２係止爪    ７３：第１係止凹部
８：係合部    ８１：係合凸部    ８２：係合爪
９１：第６屈曲部    ９２：第３屈曲部    ９３：第２屈曲部    ９４：第１屈曲部    
９５：第５屈曲部    ９６：第４屈曲部
Ｅ：第１スタンド    Ａ：第２スタンド
【図１】
0003229770.tif 000003
【図２】
0003229770.tif 000004
【図３】
0003229770.tif 000005
【図４】
0003229770.tif 000006
【図５】
0003229770.tif 000007
【手続補正書】
【提出日】令和2年9月30日(2020.9.30)
【手続補正１】
【補正対象書類名】実用新案登録請求の範囲
【補正対象項目名】請求項４
【補正方法】変更
【補正の内容】
【請求項４】
前記第１平面部及び前記第２平面部の一方の側端部は側壁を持ち、他方の側端部は前記側壁に覆われる側面を持つ形状であって、
前記側壁は係止孔を持ち、前記側面は前記係止孔と係止する係止爪を持つ請求項３に記載のスタンドホルダ。